(57)【要約】【課題】  地震発生時の避難が容易となり、地震による電気錠の破損も防止できる電気錠システムを提供する。【解決手段】  電気錠システム１は、扉２に設けられた施解錠機構を電気的に駆動して錠前を施解錠する電気錠３と、錠前を施錠するための施錠指令又は錠前を解錠するための解錠指令を電気錠３に出力する電気錠制御盤４とを備える。電気錠制御盤４は、地震の有無を検知する地震検知手段１４が内蔵して組み込まれ、地震検知手段１４からの地震有りを示す検知信号の入力により電気錠３に解錠指令を出力して施解錠機構を駆動し、錠前を強制的に解錠制御する。【選択図】    図１
2006342628.tif 000002
【特許請求の範囲】
【請求項１】
扉に設けられた施解錠機構を電気的に駆動して錠前を施解錠する電気錠と、前記錠前を施錠するための施錠指令又は前記錠前を解錠するための解錠指令を前記電気錠に出力する電気錠制御盤とを備えた電気錠システムにおいて、
制御対象とする電気錠を具備する扉近傍に設けられ、地震の有無を検知する地震検知手段を備え、
前記電気錠制御盤は、前記地震検知手段から地震有りを示す検知信号が入力されたときに、前記電気錠に解錠指令を出力して前記施解錠機構を駆動し、前記錠前を強制的に解錠制御することを特徴とする電気錠システム。
【請求項２】
扉に設けられた施解錠機構を電気的に駆動して錠前を施解錠する電気錠と、前記錠前を施錠するための施錠指令又は前記錠前を解錠するための解錠指令を前記電気錠に出力する電気錠制御盤とを備えた電気錠システムにおいて、
前記電気錠制御盤は、地震の有無を検知する地震検知手段が内蔵して組み込まれ、該地震検知手段からの地震有りを示す検知信号の入力により前記電気錠に解錠指令を出力して前記施解錠機構を駆動し、前記錠前を強制的に解錠制御することを特徴とする電気錠システム。
【発明の詳細な説明】
【技術分野】
【０００１】
本発明は、例えば室内の壁面などに設置された電気錠制御盤からの施解錠指令により、各種扉に具備する電気錠の施解錠機構を電気的に施解錠制御する電気錠システムに関するものである。
【背景技術】
【０００２】
従来より、例えば商業ビルや公共施設または一般住宅等の扉には、不審者の侵入を回避するため、防犯性に富んだ電気錠システムが設けられている。この種の電気錠システムは、特定の施解錠信号により、例えばモータやソレノイドなどの駆動手段を駆動してデッドボルトを電気的に進退させ、錠の施解錠を行っている。
そして、このような電気錠システムとしては、例えば下記特許文献１に開示されているような電気錠システムが知られている。
【０００３】
図３に示すように、特許文献１に開示される電気錠システムは、扉５１に設置された電気錠５２及び電気錠制御部（図示せず）と、壁に設置され電気的な手段により電気錠５２の施錠や解錠を決定し、電気錠５２を制御するための制御信号を出力する施解錠決定手段５３とを備えている。そして、扉５１の一側が蝶番５４にて扉枠５５に連結され、扉５１が扉枠５５に開閉自在に取り付けられている。施解錠決定手段５３には、電源線５６によって交流電源（ＡＣ１００Ｖ又はＡＣ２００Ｖ）が供給され、施解錠決定手段５３と前記電気錠制御部との間は、電線５７，５８及び伝送手段Ａを介して信号が伝送されるようになっている。
【０００４】
ところで、この種の電気錠システムの中には、特に大地震によって建物の扉枠が変形したときでも扉の開閉が行なえるように、地震発生時の避難を考慮して、扉を開閉可能に支承する蝶番として、例えば下記特許文献２に開示されるような耐震蝶番を用いたものが知られている。
【特許文献１】特開平１０−０２５９３５号公報
【特許文献２】特開平０９−２０９６４２号公報
【発明の開示】
【発明が解決しようとする課題】
【０００５】
上述した特許文献２に開示されるような耐震蝶番を用いた従来の電気錠システムによれば、地震の発生によって建物が変形し、これに伴って扉枠が変形した場合、扉枠に対して平行方向（扉枠の幅方向）の変形であれば、耐震蝶番の効果によって、扉を開けるのに小さな力で対応することができる。しかしながら、扉枠に対して斜め方向を含む垂直方向（扉枠の高さ方向）の変形の場合には、耐震蝶番による対策が不可能となり、扉を開けるのにも大きな力を必要とし、変形具合によっては建物内に閉じ込められたままとなって避難することができず、ひいては人命にも関わる危険性があった。また、特に扉枠に対して垂直方向の変形の場合には、施錠状態にある電気錠のデッドボルトと扉枠とが競合しあい、デッドボルトに必要以上の負荷がかかって電気錠が破損し、電気錠を解錠できないおそれもあった。
【０００６】
そこで、本発明は上記問題点に鑑みてなされたものであり、地震発生時の避難が容易となり、地震による電気錠の破損も防止できる電気錠システムを提供することを目的とするものである。
【課題を解決するための手段】
【０００７】
上記した目的を達成するために、請求項１に記載された電気錠システムは、扉に設けられた施解錠機構を電気的に駆動して錠前を施解錠する電気錠と、前記錠前を施錠するための施錠指令又は前記錠前を解錠するための解錠指令を前記電気錠に出力する電気錠制御盤とを備えた電気錠システムにおいて、
制御対象とする電気錠を具備する扉近傍に設けられ、地震の有無を検知する地震検知手段を備え、
前記電気錠制御盤は、前記地震検知手段から地震有りを示す検知信号が入力されたときに、前記電気錠に解錠指令を出力して前記施解錠機構を駆動し、前記錠前を強制的に解錠制御することを特徴とする。
【０００８】
請求項２に記載された電気錠システムは、扉に設けられた施解錠機構を電気的に駆動して錠前を施解錠する電気錠と、前記錠前を施錠するための施錠指令又は前記錠前を解錠するための解錠指令を前記電気錠に出力する電気錠制御盤とを備えた電気錠システムにおいて、
前記電気錠制御盤は、地震の有無を検知する地震検知手段が内蔵して組み込まれ、該地震検知手段からの地震有りを示す検知信号の入力により前記電気錠に解錠指令を出力して前記施解錠機構を駆動し、前記錠前を強制的に解錠制御することを特徴とする。
【発明の効果】
【０００９】
本発明によれば、地震発生時に即座に電気錠の錠前を解錠でき、地震発生時の避難が容易になる。しかも、地震発生時には、即座に電気錠の錠前が強制的に解錠されるので、建物の変形によって電気錠のデッドボルトと扉枠とが競合しあうことがなく、デッドボルトにかかる負荷もないので、電気錠の破損を防止できる。
【発明を実施するための最良の形態】
【００１０】
以下、本発明の実施の形態について、添付した図面を参照しながら具体的に説明する。図１は本発明に係る電気錠システムを構成する電気錠制御盤の機能ブロック図、図２は図１の電気錠制御盤を含む電気錠システムの概要図である。
【００１１】
図２に示すように、本例の電気錠システム１は、電気錠３と電気錠制御盤４とが通電金具５を介して配線接続されている。電気錠制御盤４は、室内の所定箇所（例えば壁面など）に設置され、通電金具５を介して電気錠３に施解錠指令を出力する。電気錠３は、扉２に設けられた錠前を施解錠するべく、電気錠制御盤４からの施解錠指令によって施解錠機構を電気的に駆動する。
【００１２】
尚、施解錠機構は、例えば扉枠６の係合穴に対して進退するデッドボルトをモーターやソレノイドで駆動して錠前を施解錠する従来より周知の機構で構成される。
【００１３】
図１に示すように、電気錠制御盤４は、電源部１１、操作部１２、制御部１３、地震検知手段１４を備えて概略構成される。
【００１４】
電源部１１は、例えばＡＣ１００Ｖの商用電源が電源線を介して入力しており、この商用電源に基づく駆動電源を制御部１３に供給している。
【００１５】
操作部１２は、例えばシステムの各種設定、施解錠操作、各種モニタリングなどを行う際に操作される操作ボタンや操作表示器などで構成される。そして、操作部１２によって電気錠３の施解錠機構を駆動して錠前を施解錠するための操作が行われたときには、操作信号（施錠操作信号、解錠操作信号）が制御部１３に入力される。
【００１６】
制御部１３は、外部入力手段１３ａ、判別手段１３ｂ、施解錠制御手段１３ｃを備えて構成される。
【００１７】
外部入力手段１３ａは、地震検知手段１４と接続するためのインターフェースであり、地震検知手段１４からの地震発生信号を取り込んで判別手段１３ｂに入力している。
【００１８】
判別手段１３ｂは、操作部１２からの操作信号に基づいて電気錠３を施錠するか、または解錠するかを判別し、判別結果に応じた指令を施解錠制御手段１３ｃに出力している。すなわち、操作部１２から操作信号として施錠操作信号が入力されたときには、電気錠３を施錠するものと判別して施解錠制御手段１３ｃに施錠指令を出力している。これに対し、操作部１２から操作信号として解錠操作信号が入力されたときには、電気錠３を解錠するものと判別して施解錠制御手段１３ｃに解錠指令を出力している。
【００１９】
また、判別手段１３ｂは、外部入力手段１３ａを介して地震検知手段１４から地震発生を示す検知信号（地震発生信号）が入力されたときに、地震有りと判別し、電気錠３を即座に解錠するべく施解錠制御手段１３ｃに解錠指令を出力している。
【００２０】
尚、判別手段１３ｂは、地震検知手段１４からの検知信号の値（震度に応じた地震値）と比較するための閾値を予め操作部１２の操作によって設定しておき、地震検知手段１４からの検知信号の値が閾値を超えたときに地震有りと判別して解錠指令を施解錠制御手段１３ｃに出力する構成とすることもできる。これにより、地震検知手段１４が検知する地震の震度に応じて地震発生時における電気錠３の解錠を制御することが可能となる。
【００２１】
施解錠制御手段１３ｃは、判別手段１３ｂからの指令に基づいて電気錠３を施解錠制御している。すなわち、施解錠制御手段１３ｃは、判別手段１３ｂから施錠指令が入力されたときには、通電金具５を介して電気錠３に施錠信号を出力している。これに対し、判別手段１３ｂから解錠指令が入力されたときには、通電金具５を介して電気錠３に解錠信号を出力している。
【００２２】
地震検知手段１４は、地震の有無を検知するための周知の地震検知センサで構成され、誤検知のおそれが極めて少ない位置、例えば電気錠制御盤４の制御対象となる電気錠３を具備した扉２の扉枠６や扉近傍の壁面などに設けられる。この地震検知手段１４は、設置された箇所における振動状態（震度）に応じた地震値（又はオン信号（地震有り時））を検知信号として制御部１３の外部入力手段１３ａに入力している。
【００２３】
上記構成による電気錠システム１では、室内から電気錠３を施解錠する場合、電気錠制御盤４の操作部１２を操作する。そして、操作部１２の操作により施錠操作信号が制御部１３に入力されると、判別手段１３ｂが電気錠３を施錠するものと判別して施錠指令を施解錠制御手段１３ｃに出力する。施解錠制御手段１３ｃは、判別手段１３ｂから施錠指令が入力されると、通電金具５を介して電気錠３に施錠信号を出力する。電気錠３は、施解錠制御手段１３ｃからの施錠信号が入力されると、施解錠機構を駆動して錠前を施錠状態にする。
【００２４】
これに対し、操作部１２の操作により解錠操作信号が制御部１３に入力されると、判別手段１３ｂが電気錠３を解錠するものと判別して解錠指令を施解錠制御手段１３ｃに出力する。施解錠制御手段１３ｃは、判別手段１３ｂから解錠指令が入力されると、通電金具５を介して電気錠３に解錠信号を出力する。電気錠３は、施解錠制御手段１３ｃからの解錠信号が入力されると、施解錠機構を駆動して錠前を解錠状態にする。
【００２５】
そして、地震が発生して地震検知手段１４から電気錠制御盤４の外部入力手段１３ａに検知信号が入力された場合には、この検知信号がさらに判別手段１３ｂに入力され、判別手段１３ｂが電気錠３を解錠するものと判別して解錠指令を施解錠制御手段１３ｃに出力する。施解錠制御手段１３ｃは、判別手段１３ｂから解錠指令が入力されると、通電金具５を介して電気錠３に解錠信号を出力する。電気錠３は、施解錠制御手段１３ｃからの解錠信号が入力されると、施解錠機構を駆動して錠前を解錠状態にする。これにより、地震発生時には、即座に電気錠３の施解錠機構を駆動して錠前が強制的に解錠される。
【００２６】
このように、本例の電気錠システム１によれば、電気錠制御盤４は、地震検知手段１４から地震有り示す検知信号が入力されると、施解錠機構を駆動して錠前を強制的に解錠するための解錠指令を電気錠３に出力するので、地震発生時に即座に電気錠３の錠前を解錠でき、地震発生時の避難が容易になる。しかも、地震発生時には、即座に電気錠３の錠前が強制的に解錠されるので、建物の変形によって電気錠のデッドボルトと扉枠とが競合しあうことがなく、デッドボルトにかかる負荷もないので、電気錠の破損を防止できる。
【００２７】
ところで、上述した実施の形態では、電気錠制御盤４に地震検知手段１４を組み込んで内蔵した構成としたが、地震検知手段１４を電気錠制御盤４に組み込まず、別体として設置し、地震検知手段１４からの検知信号を電気錠制御盤４の外部入力手段１３ａから取り込んで地震検知時に電気錠３の施解錠機構を強制解錠するように制御することもできる。この場合、地震検知手段１４は、誤検知のおそれが極めて少ない位置、例えば電気錠制御盤４の制御対象となる電気錠３を具備した扉２の扉枠６や扉近傍の壁面などに設置するのが好ましい。
【００２８】
また、本例の電気錠システム１は、地震発生時における電気錠３の強制解錠に特徴が有するため、特に室外側からの施解錠操作について説明していないが、図１の電気錠システム１において、室外側から電気錠３を施解錠操作する場合には、周知のように、例えばテンキー操作による暗証番号入力による認証情報、リモコンなどの無線型キーによる認証情報、ＩＣチップを搭載した非接触型ＩＣカードやカードリーダーによって読み取られる磁気カードなどからの認証情報と、予め設定された設定情報（予め制御部１３に具備する記憶手段に記憶されている）とを照合して正当性を判別する。そして、照合した認証情報の正当性が認められたときのみ電気錠３の施解錠が行われる。
【図面の簡単な説明】
【００２９】
【図１】本発明に係る電気錠システムを構成する電気錠制御盤の機能ブロック図である。
【図２】図１の電気錠制御盤を含む電気錠システムの概要図である。
【図３】従来の電気錠システムを示す概略構成図である。
【符号の説明】
【００３０】
１  電気錠システム
２  扉
３  電気錠
４  電気錠制御盤
５  通電金具
６  扉枠
１１  電源部
１２  操作部
１３  制御部
１３ａ  外部入力手段
１３ｂ  判別手段
１３ｃ  施解錠制御手段
１４  地震検知手段
【図１】
2006342628.tif 000003
【図２】
2006342628.tif 000004
【図３】
2006342628.tif 000005